(57)【要約】糸の特徴特に毛羽立ちを求める装置は、ハウジング（２）、及びハウジング（２）に取付けられて糸（９）の少なくとも１つのパラメータを測定するセンサ装置を含んでいる。ハウジング（２）が正面板（２２）、背面板（２３）、及び正面板（２２）と背面板（２３）との間にある枠（２１）を含んでいる。枠（２１）が一片から成り、正面板（２２）及び背面板（２３）とは別に製造され、例えば曲げられた金属板から製造されている。正面板（２２）及び背面板（２３）が平らな板として構成され、枠（２１）から内方へ曲げられている桟片（２４）に結合ねじにより取付けられている。それによりハウジング（２）は特に簡単な構造を持っている。
2013532237.tif 000002
【特許請求の範囲】
【請求項１】
ハウジング（２）、及びハウジング（２）に取付けられて糸（９）の少なくとも１つのパラメータを測定するセンサ装置を含む、糸（９）の特徴を求める装置（１）において、ハウジング（２）が正面板（２２）、背面板（２３）、及び正面板（２２）と背面板（２３）との間にある枠（２１）を含み、枠（２１）が一片から成り、正面板（２２）及び背面板（２３）とは別に製造されていることを特徴とする、装置。
【請求項２】
枠（２１）が曲げられた金属板から製造されている、請求項１に記載の装置。
【請求項３】
正面板（２２）及び背面板（２３）が平らな板として構成され、枠（２１）から内方へ曲げられている桟片（２４）に結合ねじにより取付けられている、先行する請求項の１つに記載の装置。
【請求項４】
糸の特徴を求めるため、台上に垂直に立つ正面板（２２）を持つハウジング（２）、ハウジング（２）に取付けられて糸（９）の少なくとも１つのパラメータを測定するセンサ装置（４）、及び別の部品（３７，４３，５，５６，６，６１，７３）を含む、なるべく先行する請求項の１つに記載の装置において、ハウジング（２）の正面板（２２）が、センサ装置（４）及び複数の別の部品（３７，４３，５，５６，６，６１，７３）用支持体素子として用いられることを特徴とする、装置。
【請求項５】
複数の別の部品（３７，４３，５，５６，６，６１，７３）が、次の素子即ち糸案内用案内素子（３１〜３４）、センサ装置（４）用センサカバー（４９）、装置（１）の部分を制御しかつ／又はセンサ装置（４）の信号を評価する電子回路、糸供給装置（５）、糸供給装置（５）用ローラカバー（５９）、糸供給装置（５）を駆動する駆動装置（６）、駆動装置（６）の制御装置（６１）、綾振り装置（７）、糸吸取り装置（３７）、及び糸供給ローラ（５２）用押付けシリンダ（５６）を含む集合から選ばれている請求項４に記載の装置。
【請求項６】
センサ装置（４）及び複数の別の部品（３７，４３，５，５６，６，６１，７３）が、正面板（２２）に直接に取付けられかつ／又は正面板（２２）に取付けられている角形材（２５）に間接に取付けられている、請求項４又は５に記載の装置。
【請求項７】
糸（９）の特徴を求めるため、糸（９）の少なくとも１つのパレメータを測定するセンサ装置（４）、及びセンサ装置（４）を保護するセンサカバー（４９）を含み、センサカバー（４９）が、糸（９）をその長手方向（ｘ）に通過させることができる測定間隙（４４）、及び糸（９）を測定間隙（４４）へ導入可能にする挿入スリット（４５）を持つ測定間隙（４４）を持っているものにおいて、糸の長手方向（ｘ）に対して直角な面（ｙｚ）への挿入スリット（４５）の投影が湾曲していることを特徴とする、なるべく先行する請求項の１つに記載の装置。
【請求項８】
センサ装置（４）が光電センサ装置（４）であり、光が外部から糸（９）及び／又はセンサ装置（４）の感光素子（４２）へ直接には達せず、かつ／又はセンサ装置（４）の光を発する素子（４１）から出る光が、直接にかつ／又は糸を経て外部へ達しないように、挿入スリット（４５）が湾曲している、請求項７に記載の装置。
【請求項９】
糸（９）の特徴を求めるため、糸（９）の少なくとも１つのパラメータを測定するセンサ装置（４）、及び２つの共同作用する供給ローラ（５１，５２）を持つローラ供給機構として構成されかつセンサ装置（４）を通って糸（９）を供給する糸供給装置（５）を含み、供給ローラ（５１，５２）の軸（５３，５４）が互いに平行でありかつ可変な相互間隔を持ち、供給ローラ（５１，５２）の少なくとも１つ（５１）が駆動されているものにおいて、両方の軸（５３，５４）の間隔が所定の閾値を超過した時、駆動される供給ローラ（５１）の駆動を中断する終端位置センサ又は終端位置開閉器が設けられていることを特徴とする、なるべく先行する請求項の１つに記載の装置。
【請求項１０】
糸（９）の特徴を求めるため、糸（９）の少なくとも１つのパラメータを測定するセンサ装置（４）、及び２つの共同作用する供給ローラ（５１，５２）を持つローラ供給機構として構成されかつセンサ装置（４）を通って糸（９）を供給する糸供給装置（５）を含み、供給ローラ（５１，５２）の軸（５３，５４）が互いに平行であるものにおいて、糸供給装置（５）の範囲で糸供給中に供給ローラ（５１，５２）の軸（５３，５４）の方向（ｚ）における糸（９）の位置を時間的に変化する綾振り装置（７）が設けられていることを特徴とする、なるべく先行する請求項の１つに記載の装置。
【請求項１１】
綾振り装置（７）が、糸案内環として構成されて供給ローラ（５１，５２）の軸（５３，５４）の方向（ｚ）に例えば空気圧綾振りシリンダ（７３）により往復運動可能な綾振り素子（７１）を含んでいる、請求項１０に記載の装置。
【請求項１２】
綾振り素子（７１）が、空気圧綾振りシリンダ（７３）により往復運動可能である、請求項１１に記載の装置。
【請求項１３】
糸（９）の特徴を求めるため、糸（９）の少なくとも１つのパラメータを測定するセンサ装置（４）、及び２つの共同作用する供給ローラ（５１，５２）を持つローラ供給機構として構成されかつセンサ装置（４）を通って糸（９）を供給する糸供給装置（５）を含み、供給ローラ（５１，５２）の少なくとも１つ（５１）が、駆動装置（６）により駆動可能であるものにおいて、少なくとも１つの駆動可能な供給ローラ（５１）が、駆動装置（６）により直接駆動可能であることを特徴とする、なるべく先行する請求項の１つに記載の装置。
【請求項１４】
駆動装置（６）と少なくとも１つの駆動可能な供給ローラ（５１）との間に、なるべくらせん継手又はベロー継手として構成される可撓継手が設けられている、請求項１３に記載の装置。
【請求項１５】
糸（９）の毛羽立ちを求めるために、先行する請求項の１つに記載の装置の使用。
【発明の詳細な説明】
【技術分野】
【０００１】  本発明は、繊維実験室における品質管理の分野にある。本発明は、独立請求項の上位概念に記載の糸の特徴特に毛羽立ちを求める装置に関する。このような装置が典型的に繊維実験室において使用される。
【背景技術】
【０００２】  多くの繊維から紡ぎ出される紡績糸では、個々の繊維が本来の糸本体に完全にくるんで結ばれてはいない。個々の繊維は部分的に糸本体から突出し、それが糸の毛羽立ちと称される。毛羽立ちは重要な糸特性なので、繊維産業はその信頼できる再現可能な測定及び分類に大きい関心を持っている。【０００３】  糸の毛羽立ちを求める装置例えば応用ハンドブック“ＵＳＴＥＲ  ＺＷＥＩＧＬＥ  ＨＡＩＲＩＮＥＳＳ  ＴＥＳＴＥＲ  ５  Ａｐｐｌｉｃａｔｉｏｎ  Ｈａｎｄｂｏｏｋ”，Ｖ１．０，Ｓｅｐｔｅｍｂｅｒ  ２００９に記載されている出願人の装置ＵＳＴＥＲ  ＺＷＥＩＧＬＥ  ＨＡＩＲＩＮＥＳＳ  ＴＥＳＴＥＲ  ５、又は例えばパンフレット“ＵＳＴＥＲ  ＴＥＳＴＥＲ  ５−Ｓ８００  Ｂｒｉｌｌｉａｎｔ  Ｔｅｓｔｉｎｇ−Ｓｕｐｅｒｉｏｒ  Ａｎａｌｙｓｉｓ”，Ａｕｇｕｓｔ  ２００７に記載されている出願人の装置ＵＳＴＥＲ  ＴＥＳＴＥＲ  ５−Ｓ８００が公知である。欧州特許出願公開第０２７１７２８号及び第１６２１８７２号明細書、ドイツ連邦共和国特許出願公開第１９８１８０６９号及び第１９９２４８４０号明細書も毛羽立ち測定装置を開示している。【０００４】  米国特許出願公開第３５６６２９４号明細書は、特に扁平なハウジングを持つ電気設備配電器を記載している。４つのハウジング壁は、内方へ曲げられた桟片を持ち、これらの桟片に正面板が取付けられている。【０００５】  欧州特許出願公開第０２６６６１２号明細書は、試験すべき糸を供給するため互いに接する２つの輸送ローラを持つ糸試験装置を開示している。試験作動の際一方の送りローラの支持腕が安全開閉器を押す。送りローラを持つ支持腕が離れるように揺動されると、安全開閉器が送りローラの駆動電動機を遮断する。【０００６】  米国特許出願公開第４２１３０５６号明細書は、編み合わされる多繊維糸の試験装置を開示している。この装置は、接触体を収容する光センサ装置を含んでいる。試験すべき多繊維糸は、所定の接触圧力で接触体上を導かれ、その際光学的に走査される。巻付いて接触体の回りに案内されるように多繊維糸を導入するため、センサ装置の底板及び天井板に、湾曲した挿入スリットが設けられている。
【発明の概要】
【発明が解決しようとする課題】
【０００７】  本発明の課題は、種々の観点に関して、糸の特徴を求める公知の装置を更に改善することである。
【課題を解決するための手段】
【０００８】  この課題及び他の課題は、独立請求項に規定されているように、本発明による装置によって解決される。有利な実施形態は従属請求項に示されている。【０００９】  第１の実施形態において、糸の特徴を求めるための本発明による装置は、ハウジング、及びハウジングに取付けられて糸の少なくとも１つのパラメータを測定するセンサ装置を含む。ハウジングが正面板、背面板、及び正面板と背面板との間にある枠を含む。枠が一片から成り、正面板及び背面板とは別に製造されている。枠が曲げられた金属板から製造されているのがよい。正面板及び背面板が平らな板として構成され、枠から内方へ曲げられている桟片に結合ねじにより取付けられているようにすることができる。この第１の実施形態では、ハウジングが特に簡単な構造を持っている。【００１０】  第２の実施形態では、糸の特徴を求めるための本発明による装置が、台上に垂直に立つ正面板を持つハウジング、ハウジングに取付けられて糸の少なくとも１つのパラメータを測定するセンサ装置、及び別の部品を含む。ハウジングの正面板が、センサ装置及び複数の別の部品用支持体素子として用いられる。好ましい構成では、複数の別の部品が、次の素子即ち糸案内用案内素子、センサ装置用センサカバー、装置の部分を制御しかつ／又はセンサ装置の信号を評価する電子回路、糸供給装置、糸供給装置用ローラカバー、糸供給装置を駆動する駆動装置、駆動装置の制御装置、綾振り装置、糸吸取り装置、及び糸供給ローラ用押付けシリンダを含む集合から選ばれている。センサ装置及び複数の別の部品が、正面板に直接に取付けられかつ／又は正面板に取付けられている角形材に間接に取付けられているようにすることができる。この第２の実施形態も、装置の見渡せる簡単な構造及びその簡単な保守に寄与する。【００１１】    第３の実施形態では、糸の特徴を求めるための本発明による装置が、糸の少なくとも１つのパラメータを測定するセンサ装置、及びセンサ装置を保護するセンサカバーを含む。センサカバーが、糸をその長手方向に通過させることができる測定間隙、及び糸を測定間隙へ導入可能にする挿入スリットを持つ測定間隙を持っている。糸の長手方向に対して直角な面への挿入スリットの投影が湾曲している。好ましい構成では、センサ装置が光電センサ装置であり、光が外部から糸及び／又はセンサ装置の感光素子へ直接には達せず、かつ／又はセンサ装置の光を発する素子から出る光が、直接にかつ／又は糸を経て外部へ達しないように、挿入スリットが湾曲している。それにより一方では、光電センサ装置が望ましくない他の光からできるだけよく遮蔽され、測定信号が改善される。他方では作業の安全性が高められる。なぜならば、装置の周辺の人間は、出る光によって傷つけられることがないからである。この明細書において、光という概念は、電磁スペクトルの可視範囲（ＶＩＳ）を意味するだけでなく、それに隣接する紫外線（ＵＶ）及び赤外線（ＩＲ）の範囲も意味する。【００１２】  第４の実施形態では、糸の特徴を求めるため本発明による装置は、糸の少なくとも１つのパラメータを測定するセンサ装置、及びセンサ装置を通って糸を供給する糸供給装置を含んでいる。糸供給装置は、２つの共同作用する供給ローラを持つローラ供給機構として構成されている。供給ローラの軸が互いに平行でありかつ可変な相互間隔を持ち、供給ローラの少なくとも１つが駆動されている。更に装置は、両方の軸の間隔が所定の閾値を超過した時、駆動される供給ローラの駆動を中断する終端位置センサ又は終端位置開閉器を含んでいる。従って第４の実施形態は、望ましくない糸玉形成及び指、毛髪、衣服片又は装身具のはさみ込みに対して有効な保護を行う。【００１３】  第５の実施形態では、糸の特徴を求めるため本発明による装置は、糸の少なくとも１つのパラメータを測定するセンサ装置、及びセンサ装置を通って糸を供給する糸供給装置を含んでいる。糸供給装置は２つの共同作用する供給ローラを持つローラ供給機構として構成され、供給ローラの軸が互いに平行である。更に装置は、糸供給装置の範囲で糸供給中に供給ローラの軸の方向における糸の位置を時間的に変化する綾振り装置を含んでいる。この目的のため綾振り装置が、糸案内環として構成されて供給ローラの軸の方向に例えば空気圧綾振りシリンダにより往復運動可能な綾振り素子を含んでいる。この第５の実施形態により、供給ローラの周面は、１点だけでなく軸方向に一様に応力をかけられ、それによりその寿命が高められる。【００１４】第６の実施形態では、糸の特徴を求めるため本発明による装置は、糸の少なくとも１つのパラメータを測定するセンサ装置、及びセンサ装置を通して糸を供給する糸供給装置を含んでいる。糸供給装置は、２つの共同作用する供給ローラを持つローラ供給機構として構成され、供給ローラの少なくとも１つが、駆動装置により駆動可能である。少なくとも１つの駆動可能な供給ローラが、駆動装置により直接駆動可能である。これにより装置が再び簡単かつ安価になる。駆動装置と少なくとも１つの駆動可能な供給ローラとの間に、なるべくらせん継手又はベロー継手として構成される可撓継手を設けることができる。それにより一様な糸走行が保証される。【００１５】  上述した実施形態は任意に互いに組合わせることができる。このような組合わせにより、それ以外の特に有利な実施形態が生じる。【００１６】  本発明による装置は、糸の種々の特徴を求めるために使用することができる。本発明による装置は、ただ１つの特徴又は複数の異なる特徴を求めるために適している。本発明による装置の特に有利な使用は、糸の毛羽立ちの光電子測定である。【００１７】  本発明の種々の局面が図面により以下に説明される。
【図面の簡単な説明】
【００１８】
【図１】  本発明による装置を斜視図で示す。
【図２】  本発明による装置のハウジングの構造を示す。
【図３】  本発明による装置を正面図（ａ）及び背面図（ｂ）で示す。
【図４】  本発明による装置のセンサカバーを斜視図で示す。
【図５】  本発明による装置の供給ローラ及び綾振り装置を上からの斜視図（ａ）及び側方からの斜視図（ｂ）で示す。
【図６】  本発明による装置の糸駆動装置用継手を側面図で示す。
【発明を実施するための形態】
【００１９】  図１は、糸９の特徴を求めるための本発明による装置１を示す。この図において、ほぼ直方体状のハウジング２、糸９を案内するための種々の糸案内素子３１〜３４、糸センサ装置４用のセンサカバー４９、及び糸供給装置５用のローラカバー５９がわかる。糸センサ装置４は、糸９の少なくとも１つのパラメータ例えば糸９から突出する繊維（毛羽）の長さを測定する。
【００２０】  図２には装置１のハウジング２の特に簡単な構造が示されている。ハウジング２は、大体において枠２１、正面板２２及び背面板２３から成っている。なるべく１つの金属板を曲げ、端部で溶接し、従って大体において直方体の周面が生じることによって、枠２１が１片から製造されている。枠２１のために、例えば約２ｍｍの厚さの鋼板を使用することができる。正面板２２及び背面板２３は、それぞれ平らな金属板として構成されている。それらは例えば約２〜１６ｍｍの厚さの鋼又はアルミニウムから成っていてもよい。枠２１への正面板２２及び背面板２３の取付けは、枠２１から内方へ曲げられている桟片２４におけるねじ結合によって行うことができる。
【００２１】  図３は、正面板２２を正面図（ａ）及び背面図（ｂ）で示す。正面板２２は、装置１のできるだけ多くの部品の支持素子として役立つ。図３の例において正面板２２は、その表側（図３の（ａ））に、センサカバー４９、例えば送光器４１及び受光器４２を含むことができる（センサカバー４９により覆われて図３の（ｂ）では一部見える）センサ装置４、ローラカバー５９、（ローラカバー５９により覆われる）糸供給装置５、及び糸案内装置３１〜３４を保持している。正面板２２の裏側（図３の（ｂ））には、例えば装置１の部分を制御しかつ／又はセンサ信号を評価する電子回路を持つ印刷配線板４３、駆動装置制御器６１、綾振りシリンダ７３、駆動装置６、糸吸取り装置３７、及び押付けローラ（図５参照）用押付けシリンダ５６が取付けられている。これらの部品及び／又は他の部品は、直接正面板２２に取付けるか、又は正面板２２に取付けられている角形材２５に間接に取付けることができる。
【００２２】  装置４のセンサカバー４９が図４に示されている。センサカバー４９は、装置１（図１参照）のセンサ装置４を、機械的な影響、汚れ、及び光電センサ装置４の場合外光入射に対して保護する。後者の場合、センサカバー４９は、光電センサ装置４が光に反応するスペクトル範囲において光を通す。センサカバー４９は、（図４には示されていない）糸９がその長手方向に通して動かされる測定間隙４４、及び測定間隙４４へ導入される糸９が通る挿入スリット４５を持っている。測定間隙４４及び挿入スリット４５は長手方向ｘに対して平行に延びている。本発明によれば、長手方向ｘに対して直角な面ｙｚへ挿入スリット４５の投影が湾曲している。このような湾曲は複数の利点を生じる。一方では、挿入スリット４５によって、光が外部から直接糸９又はセンサ装置４の感光素子４２（図３の（ｂ）参照）へ達するのを防止される。それにより光電センサ装置４が望ましくない外光からできるだけよく遮蔽され、測定信号が改善される。他方では、送光器４２から送出される光が直接にかつ／又は糸９を介して外部へ達し、人間の負傷を生じるのを、湾曲が防止する。それにより作業の安全性が高められる。
【００２３】  図５の（ａ）及び（ｂ）は、本発明による装置１の綾振り装置７を上及び側方から見た図を示す。糸供給装置５は、一緒に作用する２つの供給ローラ５１，５２を持つローラ供給機構として構成されている。第１の能動駆動ローラ５１は回転するように駆動されている。駆動は、駆動装置（図３の（ｂ）参照、例えば電動機）により軸５３を介して行うことができる。第２の受動押付けローラ５２は、軸５４の回りに回転可能な駆動なしのローラである。両方の供給ローラ５１，５２の周面は、供給すべき糸９の接触及び連行に適しており、例えば金属又はエラストマから成っている。両方の供給ローラ５１，５２の軸５３及び５４は互いに平行である。糸９が挿入されていない時、両方の周面は互いに接触している。そうでない場合両方の周面は糸９をその間に挟んで、（図５には示されてない）センサ装置４を通って長手方向ｘに送る。
【００２４】  押付けローラ５２の軸５４は、図５の（ａ）に両方向矢印５５で示すように、軸方向ｚに対して直角で糸長手方向ｘに対して直角な方向ｙに、例えば３ｍｍの小さい範囲内で移動可能である。この軸５４は、例えば空気圧押付けシリンダ５６（図３の（ｂ）参照）により押付けローラ５２を駆動ロータ５１へ押付ける力を加えられる。軸５４が所定の外側位置へ達すると、（図示しない）終端位置センサ又は終端位置開閉器が駆動装置６を自動的に停止する。それにより、まず、供給ローラ５１，５２の開き位置において、例えば糸９の挿入の際、駆動装置６が動作しないことを保証される。第２に、こうして巻付きの形成が防止される。巻付きとは、糸９が供給ローラ５１，５２の１つに巻付き始めることを意味する。この場合巻付く糸９が軸５３と軸５４との間隔を大きくするので、最終的に終端位置センサが応動して、駆動装置６を停止する。操作者の指、毛、衣服片又は装身具が供給ローラ５１，５２の間へ達する時にも、駆動装置が停止される。第３にこうして事故及び負傷が回避される。
【００２５】  本発明のそれ以外の局面は糸の綾振りに関する。綾振りとは、軸５３及び５４の方向ｚに糸９の位置が時間的に変化して、供給ローラ５１，５２の周面を軸方向ｚに一様に、１つの位置だけでなく負荷することを意味する。本発明によれば、供給装置５の範囲において、軸方向ｚにおける糸９の位置が綾振り素子７１を含む綾振り装置７により変化されることによって、綾振りが行われる。図５の（ｂ）には、綾振り運動が両方向矢印７５によって示され、糸９が３つの異なる位置で示されている。ここで論じられる実施例では、綾振り素子７１は、軸方向ｚに動く棒７２の端部に取付けられている糸案内環として構成されている。棒７２従って糸案内環７１は、糸供給中に空気圧綾振りシリンダ７３（図３の（ｂ）参照）により、軸方向ｚに緩慢に往復運動せしめられる。これに関して“緩慢”とは、綾振りサイクル中に数ｍ例えば２〜２０なるべく６〜１２ｍの糸が供給装置５によって供給されることを意味する。綾振り装置７は供給ローラ５１，５２に関して上流にある。第１の固定糸案内素子３５は、綾振り阻止７とセンサ装置４との間に設けられ、センサ装置４を通る安定な不変の糸走行を行う。供給ローラ５１，５２のなるべく下流に、第２の固定糸案内素子３６が設けられている。センサ装置４の範囲に、例えばセンサカバー４９上に、別の固定糸案内素子を設けることもできる。固定糸案内素子３５，３６の少なくとも１つを落下環として構成し、前から即ち挿入スリット４５を通って落下環への糸９の挿入は簡単であるが、逆の方向における引出しは困難であるようにすることができる。センサ装置４を通って供給される糸９は、糸吸取り装置３７（図３の（ｂ）参照）により、正面板２２にある吸取り開口２５を通って、（図示しない）屑容器へ吸取られる。
【００２６】  駆動ローラ５１は、駆動装置６により直接に、即ち通常の伝動ベルト又は伝動装置なしに駆動される。これは装置１を特に簡単にかつ安価にする。駆動装置６と駆動ローラ５１との間の軸５３に、可撓継手８を設けるのが有利であり、この可撓継手は駆動軸５７と被動軸５８との間の可能な位置ずれ及び／又は角度ずれΔαを除き、こうして一様な糸走行を保証する。このような可撓継手８が図６に示されている。金属又はプラスチックから成るらせん継手又はベロー継手を使用するのがよい。
【００２７】  もちろん本発明は上述した実施例に限定されない。本発明を知れば、当業者は別の変形例を推論でき、これらの変形例は独立請求項に規定されているような本発明の対象にも属する。
【符号の説明】
【００２８】１            装置
２            ハウジング
２１          枠
２２          正面板
２３          背面板
２４          桟片
２５          吸取り開口
３１〜３４    糸案内素子
３５，３６    定置糸案内素子
４            センサ装置
４１          送光器
４２          受光器
４３          印刷配線板
４４          測定間隙
４５          挿入スリット
４９          センサカバー
５            糸供給装置
５１          駆動ローラ
５２          押付けローラ
５３          駆動ローラの軸
５４          押付けローラの軸
５５          軸の運動
５６          押付けローラ用押付けシリンダ
５７          駆動軸
５８          駆動軸
５９          ローラカバー
６            駆動装置
７            綾振り装置
７１          綾振り素子
７２          棒
７３          綾振りシリンダ
７５          綾振り運動
８            可撓継手
９            糸
ｘ            糸長手方向、糸走行方向
ｙ            糸長手方向に対して直角な方向、正面板に対して平行
ｚ            糸長手方向に対して直角な方向、正面板に対して直角
【図１】
2013532237.tif 000003
【図２】
2013532237.tif 000004
【図３（ａ）】
2013532237.tif 000005
【図３（ｂ）】
2013532237.tif 000006
【図４】
2013532237.tif 000007
【図５（ａ）】
2013532237.tif 000008
【図５（ｂ）】
2013532237.tif 000009
【図６】
2013532237.tif 000010
【手続補正書】
【提出日】平成23年12月23日(2011.12.23)
【手続補正１】
【補正対象書類名】特許請求の範囲
【補正対象項目名】全文
【補正方法】変更
【補正の内容】
【特許請求の範囲】
【請求項１】
ハウジング（２）、及びハウジング（２）に取付けられて糸（９）の少なくとも１つのパラメータを測定するセンサ装置（４）を含む、糸（９）の特徴を求める装置（１）において、ハウジング（２）が正面板（２２）、背面板（２３）、及び正面板（２２）と背面板（２３）との間にある枠（２１）を含み、枠（２１）が、一片から正面板（２２）及び背面板（２３）とは別に曲げられた金属板から製造されていることを特徴とする、装置。
【請求項２】
正面板（２２）及び背面板（２３）が平らな板として構成され、枠（２１）から内方へ曲げられている桟片（２４）に結合ねじにより取付けられている、請求項１に記載の装置。
【請求項３】
装置（１）が別の部品（３７，４３，５，５６，６，６１，７３）を含み、正面板（２２）が台上に垂直に立ち、正面板（２２）がセンサ装置（４）及び複数の別の部品（３７，４３，５，５６，６，６１，７３）用支持体素子として用いられる、先行する請求項の１つに記載の装置。
【請求項４】
複数の別の部品（３７，４３，５，５６，６，６１，７３）が、次の素子即ち糸案内用案内素子（３１〜３４）、センサ装置（４）用センサカバー（４９）、装置（１）の部分を制御しかつ／又はセンサ装置（４）の信号を評価する電子回路、糸供給装置（５）、糸供給装置（５）用ローラカバー（５９）、糸供給装置（５）を駆動する駆動装置（６）、駆動装置（６）の制御装置（６１）、綾振り装置（７）、糸吸取り装置（３７）、及び糸供給ローラ（５２）用押付けシリンダ（５６）を含む集合から選ばれている、請求項３に記載の装置。
【請求項５】
センサ装置（４）及び複数の別の部品（３７，４３，５，５６，６，６１，７３）が、正面板（２２）に直接に取付けられかつ／又は正面板（２２）に取付けられている角形材（２５）に間接に取付けられている、請求項３又は４に記載の装置。
【請求項６】
センサ装置（４）を通して糸（９）を供給するため、共同作用する２つの供給ローラ（５１，５２）を持つローラ供給機構として構成されている糸供給装置（５）を含み、供給ローラ（５１，５２）の少なくとも１つ（５１）が駆動装置（６）により駆動可能であり、駆動装置（６）と少なくとも１つの駆動可能な供給ローラ（５１）との間に、なるべくらせん継手又はベロー継手として構成される可撓継手（８）が設けられている、先行する請求項の１つに記載の装置。
【請求項７】
糸（９）の特徴を求めるため、糸（９）の少なくとも１つのパレメータを測定するセンサ装置（４）、及びセンサ装置（４）を保護するセンサカバー（４９）を含み、センサカバー（４９）が、糸（９）をその長手方向（ｘ）に通過させることができる測定間隙（４４）、及び糸（９）を測定間隙（４４）へ導入可能にする挿入スリット（４５）を持つ測定間隙（４４）を持っているものにおいて、糸の長手方向（ｘ）に対して直角な面（ｙｚ）への挿入スリット（４５）の投影が湾曲していることを特徴とする、なるべく先行する請求項の１つに記載の装置。
【請求項８】
センサ装置（４）が光電センサ装置（４）であり、光が外部から糸（９）及び／又はセンサ装置（４）の感光素子（４２）へ直接には達せず、かつ／又はセンサ装置（４）の光を発する素子（４１）から出る光が、直接にかつ／又は糸を経て外部へ達しないように、挿入スリット（４５）が湾曲している、請求項７に記載の装置。
【請求項９】
糸（９）の特徴を求めるため、糸（９）の少なくとも１つのパラメータを測定するセンサ装置（４）、及び２つの共同作用する供給ローラ（５１，５２）を持つローラ供給機構として構成されかつセンサ装置（４）を通って糸（９）を供給する糸供給装置（５）を含み、供給ローラ（５１，５２）の軸（５３，５４）が互いに平行でありかつ可変な相互間隔を持ち、供給ローラ（５１，５２）の少なくとも１つ（５１）が駆動されているものにおいて、両方の軸（５３，５４）の間隔が所定の閾値を超過した時、駆動される供給ローラ（５１）の駆動を中断する終端位置センサ又は終端位置開閉器が設けられていることを特徴とする、なるべく先行する請求項の１つに記載の装置。
【請求項１０】
糸（９）の特徴を求めるため、糸（９）の少なくとも１つのパラメータを測定するセンサ装置（４）、及び２つの共同作用する供給ローラ（５１，５２）を持つローラ供給機構として構成されかつセンサ装置（４）を通って糸（９）を供給する糸供給装置（５）を含み、供給ローラ（５１，５２）の軸（５３，５４）が互いに平行であるものにおいて、糸供給装置（５）の範囲で糸供給中に供給ローラ（５１，５２）の軸（５３，５４）の方向（ｚ）における糸（９）の位置を時間的に変化する綾振り装置（７）が設けられていることを特徴とする、なるべく先行する請求項の１つに記載の装置。
【請求項１１】
綾振り装置（７）が、糸案内環として構成されて供給ローラ（５１，５２）の軸（５３，５４）の方向（ｚ）に往復運動可能な綾振り素子（７１）を含んでいる、請求項１０に記載の装置。
【請求項１２】
綾振り素子（７１）が、空気圧綾振りシリンダ（７３）により往復運動可能である、請求項１１に記載の装置。
【請求項１３】
糸（９）の毛羽立ちを求めるために、先行する請求項の１つに記載の装置の使用。
【国際調査報告】
2013532237.tif 000011
2013532237.tif 000012
2013532237.tif 000013
2013532237.tif 000014
2013532237.tif 000015
2013532237.tif 000016
2013532237.tif 000017
2013532237.tif 000018
2013532237.tif 000019
2013532237.tif 000020